(57)【要約】【課題】  顔の表情筋又は広頚筋等の筋肉をバランスよくエクササイズすることにより、引き締まったフェイスラインを効果的に作ることのできる美容器を提供する。【解決手段】  把持部２と、把持部２の一端から二股に分岐した一対のアーム部３と、該各アーム部３の先端側に回転自在の軸支された一対の施療部４とを備えた美容器１であって、一対のアーム部３が開方向Ａに移動すると基端部３２に取り付けられた第一磁石５が上方へ移動し、その際、対向する磁極が異なる第二磁石６と吸着しようとするため、一対のアーム部３の開方向Ａへの移動を抑制し、さらに一対のアーム部３が開方向Ａへ移動すると、前記第一磁石５が対向する磁極を同じにする第三磁石７に近づいて反発することにより、一対のアーム部３の開方向Ａへの移動を抑制する。【選択図】図４
2020005974.tif 000002
【特許請求の範囲】
【請求項１】
二股に分岐した一対のアーム部及び当該各アーム部の先端部に一対の施療部を備えた美容器であって、
前記分岐箇所に、前記一対のアーム部を開閉させる開閉機構を備え、
当該開閉機構は、前記一対のアーム部の基端部に取り付けた第一磁石と、他方の磁石との磁力の反発力又は吸着力により一対のアーム部の開方向への移動を抑制する抑制手段を備えてなることを特徴とする美容器。
【請求項２】
前記抑制手段は、前記各アーム部の基端部に取り付けられ、当該一対のアーム部の開閉に伴って移動する第一磁石と、前記一対のアーム部が閉状態から開方向へと移動する際、当該第一磁石から離れる側に当該第一磁石の面と異なる磁極を対向させた第二磁石と、前記第一磁石に近づく側に当該第一磁石の面と同じ磁極を対向させた第三磁石とを備えてなる請求項１に記載の美容器。
【請求項３】
前記開閉機構は、前記各アーム部を夫々前記分岐箇所の近傍で回転自在に軸支する回転軸と、前記各アーム部において前記回転軸から当該各アーム部の先端側とは逆方向に延設された基端部とを備え、当該基端部に前記第一磁石が取り付けられている請求項１又は２のいずれかに記載の美容器。
【請求項４】
前記抑制手段の第三磁石に替えて弾性部材を設けた請求項２又は３のいずれかに記載の美容器。
【請求項５】
前記第一磁石、第二磁石又は第三磁石の少なくともいずれかは、電磁石である請求項１乃至４に記載の美容器。
【請求項６】
前記第二磁石又は第三磁石の位置調節手段を備えた請求項１乃至５のいずれかに記載の美容器。
【発明の詳細な説明】
【技術分野】
【０００１】
本発明は、顔の筋肉を適切にバランスよくエクササイズし、フェイスラインを効果的に引き締めることのできる美容器に関する。
【背景技術】
【０００２】
近年、顔をマッサージすることによりフェイスライン等を引き締めるべく、多種多様な美容器が提供されている。
【０００３】
例えば、出願人が製造販売する図７に示す美容ローラー１０１は、把持部１０２の一端から二股に分岐する一対のアーム部１０３を備え、当該各アーム部１０３の先端側に回転自在に取り付けたローラー１０４を備えた美容ローラー１０１であって、前記把持部１０２のアーム部１０３側一端に回転軸１０３１を設けて各アーム部１０３を回転自在に取り付け、前記各アーム部１０３を開閉方向に移動させる開閉機構を設けている。当該開閉機構には、各アーム部１０３の基端部１０３２が各アーム部１０３の開方向Ａ（矢印Ａ方向）への移動に伴って回転軸１０３１を軸として回動する方向にゴムを素材とした弾性部材１０５を配設し、前記基端部１０３２が弾性部材１０５に当接することによって各アーム部１０３の開方向Ａへの移動を制限する制限手段を備えている（非特許文献１）。
【０００４】
当該美容ローラー１０１は、図８に示すように、一対のローラー１０４を使用者の顎先端に挟み込み、当該顎先端から下顎角近傍を通って頬弓幅までの範囲で前記挟み込んだ一対のローラー１０４を上下に移動させて使用する。そして、前記制限手段により一対のローラー１０４の開きを制限し、使用者の顎先端から下顎角近傍を通って頬弓幅までを押圧することによって、顔の筋肉を適切にエクササイズし、フェイスラインを引き締めることができる。
【先行技術文献】
【特許文献】
【０００５】
【非特許文献１】“アテックスダイレクト”、アテックス株式会社、（平成３０年６月１９日検索）、インターネット＜ＵＲＬ：ｈｔｔｐｓ：／／ｗｗｗ．ａｔｅｘ−ｎｅｔ．ｃｏ．ｊｐ／ｐｒｏｄｕｃｔｓ／ｌｏｕｒｄｅｓ／ｋｘｌ５２５０／ｋｘ５２５０．ｈｔｍｌ＞
【発明の概要】
【発明が解決しようとする課題】
【０００６】
しかしながら、前記従来の美容ローラーは、顎先端から下顎角近傍を通って頬弓幅までを挟み込んだ際、前記制限手段によってローラーによる押圧が徐々に強くなるものの、当該制限手段に設けたゴムを素材とした弾性部材は、使用期間や使用回数によって弾性力に不規則な変化が生まれだし、バランスよく顔の筋肉をエクササイズすることができなくなるという問題があった。
【０００７】
また、前記制限手段は、顎先端から頬弓幅までを押圧する際、頬弓幅に比べて幅が狭い顎先端から下顎角近傍ではどうしても押圧力が弱く、使用者によっては物足りないエクササイズになるという問題があった。これに対し、一対のアーム部の開方向Ａへの移動を狭く制限するように制限手段を構成することにより、顎先端から下顎角近傍までの押圧を強くすることも可能ではあるが、頬弓幅での押圧が過度に強くなって不快を感じる使用者もいるため、顎先端から頬弓幅までをバランスよくエクササイズすることができないという問題もあった。
【０００８】
そこで、本発明は、長期的に使用でき、顔の顎先端から下顎角近傍を通って頬弓幅までの表情筋又は広頚筋等の筋肉をバランスよくエクササイズすることにより、引き締まったフェイスラインを効果的に作ることのできる美容器を提供することを課題とした。
【課題を解決するための手段】
【０００９】
上記課題を解決するために、本発明は次のように構成した。すなわち、本発明に係る美容器は、二股に分岐した一対のアーム部及び当該各アーム部の先端部に一対の施療部を備えた美容器であって、前記分岐箇所に、前記一対のアーム部を開閉させる開閉機構を備え、当該開閉機構は、前記一対のアーム部の基端部に取り付けた第一磁石と、他方の磁石との磁力の反発力又は吸着力により一対のアーム部の開方向への移動を抑制する抑制手段を備えてなることを特徴としている。
【００１０】
また、美容器は、好ましくは、前記抑制手段が、前記各アーム部の基端部に取り付けられ、当該一対のアーム部の開閉に伴って移動する第一磁石と、前記一対のアーム部が閉状態から開方向へと移動する際、当該第一磁石から離れる側に当該第一磁石の面と異なる磁極を対向させた第二磁石と、前記第一磁石に近づく側に当該第一磁石の面と同じ磁極を対向させた第三磁石とを備えてなることを特徴としている。
【００１１】
また、美容器は、好ましくは、前記開閉機構が、前記各アーム部を夫々前記分岐箇所の近傍で回転自在に軸支する回転軸と、前記各アーム部において前記回転軸から当該各アーム部の先端側とは逆方向に延設された基端部とを備え、当該基端部に前記第一磁石が取り付けられていることを特徴としている。
【００１２】
また、美容器は、好ましくは、前記抑制手段の第三磁石に替えて弾性部材を設けたことを特徴としている。
【００１３】
また、美容器は、好ましくは、前記第一磁石、第二磁石又は第三磁石の少なくともいずれかが、電磁石であることを特徴としている。
【００１４】
さらに、美容器は、好ましくは、前記第二磁石又は第三磁石の位置調節手段を備えたことを特徴としている。
【発明の効果】
【００１５】
本発明に係る美容器によれば、磁力の反発力又は吸着力で前記一対のアーム部の開方向への可動を所定の範囲で抑制する抑制手段を設けたことにより、一対のアーム部が開方向とは逆方向の力を保持しながら開方向へと開いていくことができる。そのため、使用者が一対のアーム部の施療部で顔を挟み込み、当該一対の施療部を上下等に移動させることにより、顔の表情筋又は広頚筋等の筋肉を適切に押圧し、エクササイズして引き締まったフェイスラインを効果的に作ることができる。また、前記抑制手段として磁力の反発力及び吸着力を利用したことにより、使用期間等によって弾性力に不規則な変化が生じだすことなく、バランスよくエクササイズして引き締まったフェイスラインを効果的に作ることができる。
【００１６】
また、前記抑制手段を、前記第一磁石と、前記各アーム部の閉状態から開方向への移動に伴って移動する第一磁石が離れる側に第一磁石に吸着するように設けた第二磁石と、前記第一磁石に近づく側に第一磁石に反発するように設けた第三磁石とで構成したことにより、使用者が顎先端に一対の施療部を挟み込んで頬弓幅方向へ移動させる際、前記一対のアーム部の開方向への移動によって第一磁石が第二磁石から離れる方向に移動しようとすると、当該第二磁石が第一磁石に吸着しようとする力が働いているため一対のアーム部の開方向への移動が抑制され、比較的細い幅の顎先端から下顎角近傍までを強く押圧することができる。また、さらに一対のアーム部が開方向へと移動するのに伴って第一磁石が第二磁石から離れていくことで吸着しようとする力は弱くなっていき、それに反して第一磁石が第三磁石に近づくにつれ、当該第一磁石が第三磁石に反発して一対のアーム部の開方向への移動を抑制する力が強くなっていき、比較的太い幅の下顎角近傍から頬弓幅までを強く押圧することができる。これにより、使用者の顎先端から頬弓幅までの顔の筋肉を適切にバランスよくエクササイズすることができ、効果的に引き締まったフェイスラインを作ることができる。
【００１７】
また、前記各アーム部を分岐箇所近傍に設けた回転軸に回転自在に軸支して前記基端部に第一磁石を取り付け、一対のアーム部の開方向への移動に伴う第一磁石の移動に対して吸着又は反発する第二磁石又は第三磁石を設けたことにより、美容器を簡易な構成でコンパクトに形成することができ、前記バランスのよいエクササイズの効果を得ることもできる。
【００１８】
また、前記第三磁石に置き換えて安価な弾性部材とした場合であっても、前記バランスのよいエクササイズの効果を得ることはでき、コストダウンを図ることもできる。
【００１９】
また、前記第一磁石乃至第三磁石の少なくともいずれか一つを電磁石とすることにより、減磁の原因となる反磁場の状態を電源をＯＮにした使用時に限定でき、減磁を防止することで長期に渡って本発明の美容器を利用することができ、また、使用時と不使用時とで磁力のＯＮ／ＯＦＦの切り替えができ、例えば、本発明の美容器に振動機能やＥＭＳ装置等の電気利用の機能を追加する場合に、当該抑制手段のＯＮ／ＯＦＦの切り替えも同時にすることができる。
【００２０】
さらに、第二磁石又は第三磁石の位置を調節する位置調節手段を備えたことにより、前記磁力の反発力又は吸着力による前記施療部の押圧力と前記アーム部の可動範囲を調節することができ、使用者の顔のサイズや使用者の嗜好に応じてより適切に顔の筋肉を加圧してエクササイズすることができる。
【図面の簡単な説明】
【００２１】
【図１】本発明に係る美容器の構造を示す図である。
【図２】他の実施例の美容器の内部構造を示す拡大概要図である。
【図３】他の実施例の美容器の内部構造を示す拡大概要図である。
【図４】他の実施例の美容器の内部構造を示す拡大概要図である。
【図５】他の実施例の美容器の内部構造を示す拡大概要図である。
【図６】他の実施例の美容器の内部構造を示す拡大概要図である。
【図７】従来の美容ローラーの内部構造を示す図である。
【図８】美容ローラーの使用方法を示す図である。
【発明を実施するための形態】
【００２２】
以下、図面に基づいて本発明を具体的に説明する。まず、図１は、本発明に係る美容器１の構成を示す概要図である。美容器１は、基本的には、把持部２、当該把持部２の一端を分岐箇所とする一対のアーム部３及び当該各アーム部３の先端に設けられた一対の施療部４から構成されている。当該一対のアーム部３は、夫々先端側に向かって二股に分岐しており、当該分岐した先端側に施療部４であるローラーが夫々回転自在に軸支されている。なお、当該施療部４は、ローラーに限られるものではなく、特に顔を主とした使用者の身体部位を押圧してエクササイズ可能なものであればよい。また、基本的な美容器１の使用方法は、図８を用いて説明した従来の美容ローラー１０１と同様であり、一対の施療部４を顎先端に挟み込み、一対の施療部４によって顎先端から下顎角近傍を通って頬弓幅までの範囲で一対の施療部を上下動させて押圧し、顔の筋肉をエクササイズするものである。
【００２３】
図２は、第一実施例の前記把持部２と一対のアーム部３の分岐箇所の内部構造を示す拡大概要図である。一対のアーム部３は、開閉機構として、回転軸３１に回転自在に軸支され、当該回転軸３１から各アーム部３の先端側とは逆方向に延設された基端部３２の間に第一磁石５が取り付けられている。そのため、一対のアーム部３が開方向Ａ（矢印Ａ方向）に移動すると前記基端部３２が図中の上方へと移動するのに伴って、第一磁石５も上方へと移動する。なお、当該基端部３２と第一磁石５の取付箇所の構成は特に限定されるものではなく、基端部３２の移動に伴って第一磁石５が移動するように構成できればどのような構成であってもよい。
【００２４】
また、閉状態から開方向Ａへと一対のアーム部３が移動する際、基端部３２に伴って第一磁石５が離れていく側、すなわち、図中では第一磁石５の下方には、第一磁石５の下面の磁極Ｓとは異なる磁極Ｎを上面にして対向した第二磁石６が配設されている。
【００２５】
このように第一磁石５及び第二磁石６を設けたことにより、一対のアーム部３が開方向Ａへと移動する際、第一磁石５と第二磁石６とが吸着しようとする力が働いているために、一対のアーム部３の開方向Ａへの移動が抑制される。それゆえ、当該第一磁石５及び第二磁石６を一対のアーム部３の開方向Ａへの移動を抑制する抑制手段として機能させ、顔の表情筋又は広頚筋等の筋肉を適切に押圧してエクササイズし、効果的に引き締まったフェイスラインを作ることができる。なお、第一磁石５と第二磁石６の磁極Ｓ・Ｎが入れ替わっても異なる磁極を対向させることで同様の効果を奏する（以下、同じ。）。
【００２６】
また、図中のストッパーＳにより当該基端部３２の可動範囲は制限されており、特に、アーム部３が閉状態のとき基端部３２に接する下方のストッパーＳは、第一磁石５と第二磁石６とが僅かに間隙を残して接しないようにしている。これは、仮に第一磁石５が第二磁石６に当接しており、完全に両者が磁着した状態から第一磁石５を離脱させるには、その離脱の瞬間にのみ前記間隙を残した状態に比べてより強い力を要し、一対のアーム部３の開方向Ａへの移動を極端に抑制し、一対のアーム部３の開方向Ａへのスムーズな移動を阻害するためである。そのため、前記両者間に間隙を残すことにより、一対のアーム部３の開方向Ａへの移動に対しスムーズな抑制を寄与することができる。
【００２７】
次に、図３を用いて第二実施例の美容器１を具体的に説明する。第二実施例の美容器１は、前記第一実施例の美顔器１とは異なり、一対のアーム部３が開方向Ａに移動する際に基端部３２に伴って第一磁石５が近づく側、すなわち、図中では第一磁石５の上方に、第一磁石５の上面の磁極Ｎと同じ磁極Ｎを対向させた第三磁石７が配設されている。
【００２８】
これにより、一対のアーム部３が開方向Ａへと移動する際、第一磁石５が図中上方へと移動し、第一磁石５と第三磁石７とが反発しようとする力が働いていくために、開方向Ａへの移動が抑制され、顔の表情筋又は広頚筋等の筋肉を適切に押圧し、エクササイズして引き締まったフェイスラインを効果的に作ることができる。なお、第一磁石５と第三磁石７の磁極Ｓ・Ｎが入れ替わっても同じ磁極を対向させることで同様の効果を奏する（以下、同じ。）。
【００２９】
なお、各基端部３２の上方及び下方で基端部３２と当接するストッパーＳは、一対のアーム部３の閉状態及び開方向Ａへの可動範囲を制限するものである。
【００３０】
次に、図４を用いて第三実施例の美容器１を具体的に説明する。第三実施例の美容器１は、前記第一実施例又は第二実施例の美容器１とは異なり、一対のアーム部３の開方向Ａへの移動に伴って第一磁石１が離れる側、すなわち図中下方に第一磁石５の下面の磁極Ｓとは異なる磁極Ｎを対向させた第二磁石６が配設され、且つ、第一磁石５が近づく側、すなわち図中上方に第一磁石５の上面の磁極Ｎと同じ磁極Ｎを対向させた第三磁石７が配設されている。一対のアーム部３が閉状態では、前記第一磁石５は、第三磁石７よりも第二磁石６に近く位置し、一対のアーム部３が開方向Ａに移動するのに伴って、第二磁石６から離れて第三磁石７に近づいていく。
【００３１】
このように、一対のアーム部３の開方向Ａへの移動の抑制手段として、第一磁石５、第二磁石６及び第三磁石７を構成したことにより、使用者が顎先端に一対の施療部４を挟み込んで頬弓幅方向へ移動させる際、前記一対のアーム部３の開方向Ａへの移動によって第一磁石５が第二磁石６から離れる方向、すなわち図中では上方へと移動するが、当該第二磁石６が第一磁石５に吸着しようとする力が働いているため開方向Ａへの移動が抑制され、比較的細い幅の顎先端から下顎角近傍までを強く押圧することができる。また、さらに一対のアーム部３が開方向Ａへと移動すると第一磁石５が第二磁石６から離れていくことで吸着しようとする力は弱くなっていき、それに反して第一磁石５が第三磁石７に近づくにつれ、当該第一磁石５が第三磁石７に反発して一対のアーム部３の開方向Ａへの移動を抑制する力が強くなっていくため、比較的太い幅の下顎角近傍から頬弓幅までをも強く押圧することができる。これにより、使用者の比較的細い幅の顎先端から比較的太い幅の頬弓幅までの顔の筋肉をバランスよく適切にエクササイズして、効果的に引き締まったフェイスラインを作ることができる。
【００３２】
ここで、当該実施例の開閉機構として回転軸３１を設け、一対のアーム部３が開方向Ａへ移動するに伴ってその基端部３２が上方へ移動するように構成したが、開閉機構の構成はこれに限られず、一対のアーム部３の開方向Ａへの移動に伴って基端部３２に取り付けられた第一磁石５が移動すればよい。この際、当該開閉機構の構成によって基端部３２が一対のアーム部３の開方向Ａへの移動に伴って下方に移動するような場合には、当該実施例とは異なり、第一磁石５の図中上方に、対向する磁極が異なるように第二磁石６を配設し、図中下方に、対向する磁極が同じになるように第三磁石７を配設する。また、基端部３２に伴う第一磁石５の移動方向によっては、前記対向する磁極の通り、その左右に第二磁石６又は第三磁石７を配設することもできる。ただ、本実施例のように回転軸３１を設けて各アーム部３を軸支し、一対のアーム部３が開方向Ａへ移動するのに伴って基端部３２が上方に移動するように構成することで、当該一対のアーム部３の分岐箇所の開閉機構及びその前記抑制手段を簡易に且つコンパクトに形成することができる。
【００３３】
次に、図５を用いて第四実施例の美容器１を具体的に説明する。第四実施例の美容器１は、前記第三実施例の美容器１の第三磁石７に置き換えて、弾性部材８を配設している。このように、一対のアーム部３の開方向Ａへの移動に伴って第一磁石５が近づく側、すなわち、第一磁石５の移動に対して反発させる側は、第三磁石７に替えて安価な弾性部材８に置き換えてもよい。当該弾性部材８は、例えば、ゴム片、バネ等から構成される。このように、当該反発させる側の第三磁石７を弾性部材８に置き換えた場合であっても、前記第三実施例と同様の効果を奏することができる。
【００３４】
次に、図６を用いて第五実施例の美容器１を具体的に説明する。第五実施例の美容器１は、前記第三実施例とは異なり、第二磁石６又は第三磁石７の位置を第一磁石５の移動方向に沿って、すなわち、図中では上下方向に調節する位置調節手段９を設けている。当該位置調節手段７は、第二磁石６又は第三磁石７の位置を第一磁石５の移動方向に沿って調節できればどのような構成であってもよい。例えば、第二磁石６の位置調節手段９であれば、図示のように把持部２の外側にレバーの端部を露出させ、当該レバーを上下に移動させることにより、第二磁石６の位置を調節することができる。また、第三磁石７の位置調節手段９であれば、図示のネジを回すことにより、第三磁石７の位置を調節することができる。
【００３５】
このように、第二磁石６又は第三磁石７に位置調節手段９を設けたことにより、前記磁力の反発力又は吸着力による前記施療部の押圧力と前記アーム部の可動範囲を調節することができ、使用者の顔のサイズや使用者の嗜好に応じてより適切に顔の筋肉を押圧してエクササイズすることができる。なお、当該位置調節手段９は、第二磁石６又は第三磁石７のいずれかに設けてもよく、第一実施例の美容器１に係る第二磁石６又は第二実施例の美容器１に係る第三磁石７に位置調節手段７を設けることもできる。また、図中のストッパーＳは、あくまで概要図による表示であるため、前記位置調節手段９による第二磁石６又は第三磁石７の位置調節可能な範囲に応じて、基端部３２の可動範囲を調節してもよい。
【００３６】
次に、図示はしないが第五実施例の美容器１を具体的に説明する。当該美容器１は、図４で示す第三実施例の美容器１と異なり、第一磁石５及び第三磁石７が電磁石により構成されている。一般的に、磁石は反磁場の状態が続くと減磁、すなわち磁力が低下するが、反発する側の第一磁石５及び第三磁石７を電磁石とすることにより、減磁の原因となる反磁場の状態を電源をＯＮにした使用時のみに限定でき、減磁を防止することで長期に渡って本発明の美容器を利用することができる。また、第一磁石５乃至第三磁石７を電磁石としてもよく、これは例えば、使用時と不使用時とで磁力のＯＮ／ＯＦＦの切り替えができ、例えば、美容器１に振動機能やＥＭＳ装置等の電気利用の機能を追加する場合に、当該第一磁石５及び第二磁石６又は第三磁石７による抑制手段のＯＮ／ＯＦＦの切り替えも同時にすることができる。なお、第一磁石５、第二磁石６又は第三磁石７の少なくともいずれか一つを電磁石としてもよい。
【産業上の利用可能性】
【００３７】
上記実施例の美容器１では、主として顔の顎先端から頬弓幅にかけて用いる美容器１を説明したが、一対のアーム部３の先端部に設けた施療部４で使用者のその他身体部位を挟み込んで用いることも可能である。
【符号の説明】
【００３８】
１    美容器
２    把持部
３    一対のアーム部
３１  回転軸
３２  基端部
４    施療部
５    第一磁石
６    第二磁石
７    第三磁石
８    弾性部材
９    位置調節手段
【図１】
2020005974.tif 000003
【図２】
2020005974.tif 000004
【図３】
2020005974.tif 000005
【図４】
2020005974.tif 000006
【図５】
2020005974.tif 000007
【図６】
2020005974.tif 000008
【図７】
2020005974.tif 000009
【図８】
2020005974.tif 000010